(57)【要約】【課題】新型インフルエンザや鳥インフルエンザが発生した場合のパンデミック時に、必要最小限の防護用装着部材を備え、二次感染の拡大を防止することができる防護用装着部材収納用の携帯型防護具を提供する。【解決手段】この防護用装着部材収納用の携帯型防護具は、ウイルスバリア性を有する防護用装着部材１をパッケージ体２内に保管状態で収納している。防護用装着部材１は、所定数の防護マスク３と防護手袋４とからなり、この防護マスク３と防護手袋４とは適宜に組み合わせて収納保管されている。【選択図】図１
0003149677.tif 000002
【実用新案登録請求の範囲】
【請求項１】
ウイルスバリア性を有する防護用装着部材をパッケージ体内に保管状態で収納し、この防護用装着部材は、所定数の防護マスクと防護手袋とからなり、この防護マスクと防護手袋とを適宜に組み合わせて収納保管したことを特徴とする防護用装着部材収納用の携帯型防護具。
【請求項２】
前記防護用装着部材を、少なくとも１週間分の数量とした請求項１に記載の防護用装着部材収納用の携帯型防護具。
【請求項３】
前記パッケージ体を筒形状の収納缶又は収納箱とし、この収納缶又は収納箱に前記防護用装着部材をそれぞれ多層に巻装した状態で収納した請求項１又は２に記載の防護用装着部材収納用の携帯型防護具。
【請求項４】
前記防護マスクは、微粒子浸入防止用のフィルタ材を有し、新型インフルエンザ、又は、鳥インフルエンザ対応型のマスクである請求項１乃至３の何れか１項に記載の防護用装着部材収納用の携帯型防護具。
【請求項５】
前記防護手袋は、ニトリルゴム素材、ラテックス素材、ポリエチレン等のプラスチック素材のうちの一種から選択して成形し、新型インフルエンザ、又は、鳥インフルエンザ対応型の手袋である請求項１乃至３の何れか１項に記載の防護用装着部材収納用の携帯型防護具。
【考案の詳細な説明】
【技術分野】
【０００１】
本考案は、新型インフルエンザや鳥インフルエンザ等の感染を防ぐために身体に装着する防護用装着部材収納用の携帯型防護具に関する。
【背景技術】
【０００２】
新型インフルエンザや鳥インフルエンザに対して人間は免疫を持っていないため、パンデミック（世界的な大流行）が発生した場合、世界の一般社会で急速に感染が拡大し、人命や社会的経済活動に多くの被害をもたらすことが懸念されている。パンデミック時においては、二次感染の拡大を可能な限り防止するために最大限の注意を払う必要がある。この場合、新型インフルエンザや鳥インフルエンザの二次感染を防ぐためには、特に、これらのウイルスの主な感染経路である飛沫感染と接触感染とを防ぐことが大切になっており、飛沫感染を防ぐためにはマスク、接触感染を防ぐためには手袋を装着することが極めて有効な防衛手段となっている。
【０００３】
そして、新型インフルエンザや鳥インフルエンザは、１〜３日間程度の潜伏期間があり、その後、少なくとも１〜３日程度発病してからの症状が続くことが知られている。そのため、これらのインフルエンザの感染を確実に防ぐためには、少なくとも１週間分程度のマスクや手袋の備蓄が必要になっている。
【０００４】
ところで、所定数のマスクを１箇所にまとめたものとして、例えば、特許文献１のマスクの収納装置がある。この収納装置は、内部に複数のマスクを並置しておき、このマスクを１つずつ片手で小出しにできるようにしたものである。
一方、一定量の手袋を１箇所にまとめたものとして、例えば、特許文献２の使い捨て手袋の収納器がある。同文献２は、使い捨て手袋が重ねて２つ折りした状態で容器本体に収納され、この使い捨て手袋を１枚ずつ容器本体から取り出すことができるようになっている。
【先行技術文献】
【特許文献】
【０００５】
【特許文献１】特表２００６−５００１５８号公報
【特許文献２】実開平４−１２４９１６号公報
【考案の概要】
【考案が解決しようとする課題】
【０００６】
しかしながら、特許文献１におけるマスクの収納装置は、マスクを１つずつ片手で小出しにして着用できることを特徴としたものであり、新型インフルエンザや鳥インフルエンザのパンデミック時に用いることは想定されていない。そのため、同文献１内には、パンデミック時に所定数の防護用マスクを備えたものとしての思想や示唆はない。
【０００７】
また、特許文献２の使い捨て手袋の収納器についても同文献１と同様であり、新型インフルエンザや鳥インフルエンザのパンデミック時に対応して所定数の手袋を備えたものではない。このように、同文献１、２は、新型インフルエンザや鳥インフルエンザの発生時に極めて重要な二次感染の拡大を防止することを目的としていないため、十分に感染を防止することができない。
【０００８】
本考案は、上記の実情に鑑みて、鋭意検討の結果、開発に至ったものであり、その目的とするところは、新型インフルエンザや鳥インフルエンザが発生した場合のパンデミック時に、必要最小限の防護用装着部材を備え、二次感染の拡大を防止することができる防護用装着部材収納用の携帯型防護具を提供することにある。
【課題を解決するための手段】
【０００９】
上記目的を達成するために、請求項１に係る考案は、ウイルスバリア性を有する防護用装着部材をパッケージ体内に保管状態で収納し、この防護用装着部材は、所定数の防護マスクと防護手袋とからなり、この防護マスクと防護手袋とを適宜に組み合わせて収納保管した防護用装着部材収納用の携帯型防護具である。
【００１０】
請求項２に係る考案は、防護用装着部材を、少なくとも１週間分の数量とした防護用装着部材収納用の携帯型防護具である。
【００１１】
請求項３に係る考案は、パッケージ体を筒形状の収納缶又は収納箱とし、この収納缶又は収納箱に防護用装着部材をそれぞれ多層に巻装した状態で収納した防護用装着部材収納用の携帯型防護具である。
【００１２】
請求項４に係る考案は、防護マスクは、微粒子浸入防止用のフィルタ材を有し、新型インフルエンザ、又は、鳥インフルエンザ対応型のマスクである防護用装着部材収納用の携帯型防護具である。
【００１３】
請求項５に係る考案は、防護手袋は、ニトリルゴム素材、ラテックス素材、ポリエチレン等のプラスチック素材のうちの一種から選択して成形し、新型インフルエンザ、又は、鳥インフルエンザ対応型の手袋である防護用装着部材収納用の携帯型防護具である。
【考案の効果】
【００１４】
請求項１に係る考案によると、新型インフルエンザや鳥インフルエンザが発生した場合のパンデミック時に、必要最小限の防護用装着部材を備えることができ、この防護マスクと防護手袋とからなる防護用装着部材によって二次感染する可能性の高い飛沫感染と接触感染とを防止できることにより、感染の拡大を防止することができる。
【００１５】
請求項２に係る考案によると、新型インフルエンザや鳥インフルエンザの潜伏期間から発病からの症状が終わるまでの期間の二次感染を防止でき、症状が発生する前の無自覚時における感染の伝播の可能性も防ぐことにより感染の爆発的な拡大を可能な限り防止できる。
【００１６】
請求項３に係る考案によると、全体をコンパクト化しながらパッケージすることができ、携帯性に優れると共に、密封性も高く水に濡れることを防止できる。また、必要な防護用装着部材だけを取り出して無駄なく使用でき、不足した防護用装着部材を補充することにより残りの防護用装着部材をそのまま利用できるため省資源化にも優れている。
【００１７】
請求項４に係る考案によると、新型インフルエンザや鳥インフルエンザの微粒子の浸入による飛沫感染を防いで、高レベルのウイルスバリア性能を発揮することが可能である。
【００１８】
請求項５に係る考案によると、新型インフルエンザや鳥インフルエンザの微粒子から衛生的に皮膚を守り、接触感染を防いで高レベルのウイルスバリア性能を発揮することができる。
【図面の簡単な説明】
【００１９】
【図１】本考案の防護用装着部材収納用の携帯型防護具の一例を示した分離斜視図である。
【図２】本考案の防護用装着部材収納用の携帯型防護具を示した拡大縦断面図である。
【図３】防護マスクを示す斜視図である。
【図４】防護手袋を示す斜視図である。
【考案を実施するための形態】
【００２０】
本考案における防護用装着部材収納用の携帯型防護具の一実施形態並びにその作用を図面に基づいて詳細に説明する。
図１、図２において、本考案の防護用装着部材収納用の携帯型防護具は、ウイルスバリア性を有する防護用装着部材１をパッケージ体２内に保管状態で収納したものであり、この防護用装着部材１は、所定数の防護マスク３と防護手袋４とからなり、この防護マスク３と防護手袋４とは、適宜に組み合わされた状態で収納保管されている。
【００２１】
パッケージ体２は、筒形状の収納缶であり、収納体５と蓋体６とから成っている。収納体５は、略円筒状に形成され、内部には収納部７が設けられている。この収納部７には、防護用装着部材１が収納される。本例においては、防護用装着部材１は、１週間分の数量、すなわち、７枚の防護マスク３と、７組の防護手袋４とからなり、これらが収納部７に収納される。
【００２２】
防護手袋４は、図１において、例えば、１組ずつ長手方向に沿って中央付近で２つ折りにされた状態で丸められ、これら７組がまとめられた状態になっている。また、７枚の防護マスク３は、例えば、防護手袋４の外周側からこの防護手袋４を内装するように丸められている。このように、防護マスク３と防護手袋４とは、それぞれ多層に巻装された状態で収納部７に収納されている。防護用装着部材１は、少なくとも１週間分の数量であればよく、防護マスク３と防護手袋４とは、それぞれ８枚（８組）以上であってもよい。
【００２３】
また、収納体５において、表面側には表示部８が設けられ、この表示部８には、例えば、防護用装着部材１の種類や数量、商品名などが記載されている。また、この表示部８には、住所等の任意の内容を記載するようにしてもよい。
【００２４】
蓋体６は、収納体５と略同径に形成され、その下部には環状の嵌合突部９が設けられている。嵌合突部９は、収納体５の開口側から嵌め込み可能な外径に形成され、蓋体６は、防護用装着部材１が収納された収納体５に嵌め込まれる。
【００２５】
図３に示した防護マスク３は、微粒子浸入防止用のフィルタ材１０と、ノーズピース１１と、フィルタ材１０を装着するための環状ゴムバンド１２とを有している。フィルタ材１０は、例えば、不織布等の適宜の材料からなっており、新型インフルエンザ、又は、鳥インフルエンザに対応したマスクであることにより、ウイルスの浸入をミクロレベルでブロックすることが可能になっている。更に、このフィルタ材１０は、例えば、０．３ミクロン以上の空気中の微粒子を９５％以上カットする機能を有する材料であることが好ましく、この場合、フィルタ材１０は、ＮＩＯＳＨ（米国労働安全衛生研究所）が認定する「Ｎ９５」のレベルを達成することが可能になる。フィルタ材１０は、適宜の材料により形成され、例えば、図示しないが、ドロマイト等により抗ウイルス加工を施した層と高性能の撥水性フィルタ材料による層とが複数層に積層されて設けられている。また、フィルタ材１０は、単数枚の適宜の材料により状態に設けられていてもよく、この場合には、低コストで製造することが可能になる。
【００２６】
フィルタ材１０は、適宜の形状に形成されてマスク形状に変形することが可能になっており、例えば、図に示すように一部が重なるように略蛇腹状に折り畳んだ状態で両端側を固着された一般的な形状に設けられている。また、ノーズピース１１は、ワイヤからなり、フィルタ材１０の上部側の略中央付近に設けられてフィルタ材１０の形状に合わせて変形可能になっている。一方、環状ゴムバンド１２は、フィルタ材１０の両端側に取付けられている。
【００２７】
防護マスク３を顔面に装着する際には、フィルタ材１０の蛇腹部位を開き、ノーズピース１１を鼻の形状に合わせるように変形させながら環状ゴムバンド１２を両耳に掛けることで、フィルタ部材１０が顔面の形状に沿って湾曲してその外周縁側が顔面に密着する。このフィルタ材１０により空気中の微粒子が濾過される。
【００２８】
一方、図４に示した防護手袋４は、例えば、ニトリルゴム（ブタジエンアクリロニトリル共重合体）素材、ラテックス素材、ポリエチレン等のプラスチック素材のうちの一種から選択して成形し、これらの中から適宜選択することで、新型インフルエンザ、又は、鳥インフルエンザ対応型の手袋とすることができる。この場合、特に、防護手袋４をニトリルゴム素材により成形することが好ましく、その際には、優れた強度特性と耐摩耗性とを発揮できる。一方、ラテックス素材の手袋は、柔らかく伸縮性に富むためしなやかで軽快な使い心地が得られ、プラスチック素材の手袋は、耐薬品性に優れると共に劣化しにくいことから幅広く利用できる。更に、防護手袋４は、パウダーが付着したパウダー付きタイプ、或は、ノンパウダータイプの何れのタイプとすることもでき、パウダー付きタイプの場合には、手指からの着脱がし易くなり、一方、ノンパウダータイプの場合には、パウダーを用いないことによって、より衛生面の要求されるクリーンな作業に適している。
【００２９】
なお、本実施形態においては、パッケージ体２を筒形状の収納缶としているが、このパッケージ体２は、収納箱であってもよく、或は、それ以外の任意の形状に設けるようにしてもよい。その際、パッケージ体２を収納缶の状態に形成した場合には、自動販売機等で販売することが容易となり、例えば、これをワンコインで発売するようにすれば、緊急時にも容易に外出先で入手できるようになる。また、パッケージ体２の材質は、アルミなどの金属であることが望ましいが、これ以外にも、プラスチック、紙などの任意の材質によっても形成するようにしてもよい。この場合、特に、パッケージ体２を金属製やプラスチック製としたときにはより保存性を高めることが可能となる。
また、防護用装着部材１、すなわち、防護マスク３と防護手袋４とは、それぞれ多層に巻装された状態で収納されているが、これらは、任意の収納状態で収納するようにしてもよい。
【００３０】
また、防護用装着部材１は、通常、新型インフルエンザや鳥インフルエンザのウイルスを含む外気から使用者を守るために使用されるが、これ以外にも、これらの病気の感染者に装着して、この感染者から出されるウイルス等の微粒子が大気中に放出されたり外部に付着したりすることを防ぐことも可能である。更に、この防護用装着部材１は、感染者が発生した時に、医療現場や救護所で緊急用として使用することもできる。
【００３１】
本考案の防護用装着部材収納用の携帯型防護具は、防護マスク３と防護手袋４とからなる防護用装着部材１が保管状態で収納され、新型インフルエンザや鳥インフルエンザの発生時には、蓋体６を収納体５から外し、防護マスク３と防護手袋４とを取り出してこれらを装着することができる。そして、この防護マスク３と防護手袋４とにより、新型インフルエンザや鳥インフルエンザのウイルスによる飛沫感染と接触感染とをそれぞれ防止することができる。
その際、この防護マスク３と防護手袋４は、少なくとも１週間分の数量からなっているので、新型インフルエンザや鳥インフルエンザのパンデミックが急に起こった場合でも、その潜伏期間と症状発生の期間とからなる一定期間に二次感染が発生することから防衛できる。
【００３２】
しかも、この携帯型防護具は、所定数の防護マスク３と防護手袋４とが適宜に組み合わされた状態で１箇所にまとめて収納保管されているので備蓄がしやすく、また、密封性が高いため保存性にも優れている。更に、コンパクト性に優れるため持ち運びも容易であり、各個人が備蓄しておくことにより新型インフルエンザのパンデミック時における対処が容易となる。
【符号の説明】
【００３３】
１  防護用装着部材
２  収納缶（パッケージ体）
３  防護マスク
４  防護手袋
１０  フィルタ材
【図１】
0003149677.tif 000003
【図２】
0003149677.tif 000004
【図３】
0003149677.tif 000005
【図４】
0003149677.tif 000006